(57)【特許請求の範囲】
【請求項１】
吐出孔を有する吐出ヘッドと、
容器体内に配設される吸上げパイプと、
前記吐出ヘッドと吸上げパイプとの間に配設され、該吸上げパイプを通して容器体内の内容物を吸上げて前記吐出孔から吐出させるポンプ体と、を備え、
該ポンプ体に、前記吸上げパイプが連結される連結筒部が備えられた吐出器であって、
前記連結筒部は、内筒及び外筒を備えるとともに、前記吸上げパイプはその上端部が前記内筒と外筒との間に差し込まれて前記連結筒部に連結され、
前記外筒には、前記吸い上げパイプを挟んで前記内筒に対して径方向の外側に向かい合うように配置されると共に、径方向の内側に向けて突出し、前記吸上げパイプの上端部を前記内筒に押し付ける突出部が形成され、
前記外筒において、前記突出部に上方から連なる上側部分に第１貫通孔が形成されるとともに、前記突出部に、周方向の両側から連なる一対の側方部分には前記第１貫通孔に接続する第２貫通孔が各別に形成され、
前記外筒には、前記第１貫通孔及び前記第２貫通孔で画成され、下端が固定端、上端が前記突出部が位置する自由端とされた板状の係止片が形成されていることを特徴とする吐出器。
【請求項２】
請求項１記載の吐出器であって、
前記突出部は、下方から上方に向かうに従い漸次径方向の内側に向けた突出量が大きくなっていることを特徴とする吐出器。
【請求項３】
請求項１または２に記載の吐出器であって、
前記外筒において前記突出部よりも下方に位置する部分と、前記内筒と、の間の隙間は、前記吸上げパイプの上端部の肉厚以上となっていることを特徴とする吐出器。
【発明の詳細な説明】
【技術分野】
【０００１】
本発明は、吐出器に関するものである。
【背景技術】
【０００２】
従来から、例えば下記特許文献１に示されるように、吐出孔を有する吐出ヘッドと、容器体内に配設される吸上げパイプと、吐出ヘッドと吸上げパイプとの間に配設され、吸上げパイプを通して容器体内の内容物を吸上げて吐出孔から吐出させるポンプ体と、を備え、ポンプ体に、吸上げパイプが連結される連結筒部が備えられた吐出器が知られている。
【先行技術文献】
【特許文献】
【０００３】
【特許文献１】特開平１１−４７６４９号公報
【発明の概要】
【発明が解決しようとする課題】
【０００４】
しかしながら、前記従来の吐出器では、吸上げパイプを連結筒部に強固に連結することについて改善の余地があった。
【０００５】
本発明は、このような事情を考慮してなされたもので、吸上げパイプを連結筒部に強固に連結することができる吐出器を提供することを目的とする。
【課題を解決するための手段】
【０００６】
上記課題を解決して、このような目的を達成するために、本発明の吐出器は、吐出孔を有する吐出ヘッドと、容器体内に配設される吸上げパイプと、前記吐出ヘッドと吸上げパイプとの間に配設され、該吸上げパイプを通して容器体内の内容物を吸上げて前記吐出孔から吐出させるポンプ体と、を備え、該ポンプ体に、前記吸上げパイプが連結される連結筒部が備えられた吐出器であって、前記連結筒部は、内筒及び外筒を備えるとともに、前記吸上げパイプはその上端部が前記内筒と外筒との間に差し込まれて前記連結筒部に連結され、前記外筒には、前記吸い上げパイプを挟んで前記内筒に対して径方向の外側に向かい合うように配置されると共に、径方向の内側に向けて突出し、前記吸上げパイプの上端部を前記内筒に押し付ける突出部が形成され、前記外筒において、前記突出部に上方から連なる上側部分に第１貫通孔が形成されるとともに、前記突出部に、周方向の両側から連なる一対の側方部分には前記第１貫通孔に接続する第２貫通孔が各別に形成され、前記外筒には、前記第１貫通孔及び前記第２貫通孔で画成され、下端が固定端、上端が前記突出部が位置する自由端とされた板状の係止片が形成されていることを特徴とする。
【０００７】
本発明によれば、連結筒部の外筒に突出部が形成されているので、吸上げパイプの上端部を連結筒部に連結した状態で、この吸上げパイプの上端部を突出部により内筒に押し付けることが可能になり、吸上げパイプを連結筒部に強固に連結することができる。
さらに、外筒に第１貫通孔および第２貫通孔が形成されているので、外筒において、第１貫通孔および第２貫通孔で画成されかつ前記突出部が位置する係止片部分を、下端を固定端、上端を自由端として撓み変形させ易くすることが可能になり、この係止片部分を径方向に弾性変形させ易くすることができる。
したがって、吸上げパイプを連結筒部に対して下方に向けて引っ張ったときに、前記係止片部分を突出部が径方向の内側に変位するように撓ませ易くする一方、吸上げパイプの上端部を外筒と内筒との間に差し込む際に、前記係止片部分を突出部が径方向の外側に変位するように撓ませ易くすることが可能になり、前述の作用効果をより一層確実に奏功させることができる。
【０００８】
ここで、前記突出部は、下方から上方に向かうに従い漸次径方向の内側に向けた突出量が大きくなってもよい。
【０００９】
この場合、突出部の径方向の内側に向けた突出量が、下方から上方に向かうに従い漸次大きくなっているので、吸上げパイプを連結筒部に対して下方に向けて引っ張ったときに、突出部の上端部を吸上げパイプの上端部に食い込ませ易くすることが可能になり、吸上げパイプの上端部を外筒と内筒との間から抜き出し難くすることができる一方、吸上げパイプの上端部を外筒と内筒との間に容易に差し込むことが可能になる。
【００１２】
さらに、前記外筒において前記突出部よりも下方に位置する部分と、前記内筒と、の間の隙間は、前記吸上げパイプの上端部の肉厚以上となってもよい。
【００１３】
この場合、外筒において突出部よりも下方に位置する部分と、内筒と、の間の隙間が、吸上げパイプの上端部の肉厚以上となっているので、吸上げパイプの上端部を外筒と内筒との間により一層差し込み易くすることができる。
【発明の効果】
【００１４】
本発明によれば、吸上げパイプを連結筒部に強固に連結することができる。
【図面の簡単な説明】
【００１５】
【図１】本発明に係る一実施形態として示した吐出器の要部断面側面図である。
【図２】図１に示す吐出器の一部拡大図である。
【図３】図１および図２に示す吐出器の要部斜視図である。
【発明を実施するための形態】
【００１６】
以下、図面を参照し、本発明の実施の形態について説明する。
本実施形態に係る吐出器１は、図１に示されるように、吐出孔１１を有する吐出ヘッド１２と、容器体内に配設される吸上げパイプ１３と、吐出ヘッド１２と吸上げパイプ１３との間に配設され、吸上げパイプ１３を通して容器体内の内容物を吸上げて吐出孔１１から吐出させるポンプ体１４と、を備えている。
ここで本実施形態では、ポンプ体１４は、吸上げパイプ１３が接続されるとともに容器体内に配設される筒状のシリンダ１６を備え、また、吐出ヘッド１２は有頂筒状に形成されていて、これらのシリンダ１６および吐出ヘッド１２は共通軸と同軸に配設されている。以下、この共通軸を軸線Ｏといい、この軸線Ｏ方向に沿って、吐出ヘッド１２側を上側、吸上げパイプ１３側を下側といい、軸線Ｏに直交する方向を径方向といい、軸線Ｏを中心に周回する方向を周方向という。
【００１７】
ポンプ体１４は、シリンダ１６と、シリンダ１６内から上方付勢状態で下方移動可能に起立したステム１５と、を備えている。
シリンダ１６は円筒状に形成されていて、その内部に、不図示のピストン部材および付勢部材が配設されており、付勢部材によって、ピストン部材およびステム１５が上方付勢状態で下方移動可能に支持されている。また、シリンダ１６には、吸上げパイプ１３が連結される連結筒部２３が備えられている。この連結筒部２３は、シリンダ１６の下端部に位置している。
【００１８】
吐出ヘッド１２は、頂壁部１７に下方に向けて延設された装着筒部１８を備え、この装着筒部１８がポンプ体１４のステム１５の上端部に外嵌されている。また、吐出ヘッド１２は、周壁部１９に径方向の外方に向けて延設されるとともに内部がポンプ体１４のステム１５内に連通されたノズル筒部２０を備え、このノズル筒部２０の先端開口が前記吐出孔１１となっている。
【００１９】
以上の構成において、吐出ヘッド１２を押下してこの吐出ヘッド１２とともにステム１５を下方に移動させると、この移動に連係して前記ピストン部材が付勢部材による上方付勢力に抗してシリンダ１６の内周面に摺接しつつ下降することにより、シリンダ１６内の内容物が圧縮されてステム１５内を上昇する。
一方、吐出ヘッド１２の押下を解除すると、付勢部材の上方付勢力によって吐出ヘッド１２とともにステム１５が上昇し、かつ前記ピストン部材がシリンダ１６の内周面に摺接しつつ上昇することで、シリンダ１６内が減圧され、容器体内に収容されている内容物がシリンダ１６内に吸上げパイプ１３を通して流入する。
【００２０】
なお図示の例では、シリンダ１６の上端部に、内容物が収容された容器体の口部に装着されて、該吐出器１を容器体に固定する装着キャップ２１と、吐出ヘッド１２の装着筒部１８に形成された雄ねじ部が螺合されて、吐出ヘッド１２、ステム１５および前記ピストン部材をシリンダ１６に対して下降端位置に保持する補助キャップ２２と、が配設されている。これらの装着キャップ２１および補助キャップ２２は軸線Ｏと同軸に配設されている。
【００２１】
ここで、ポンプ体１４におけるシリンダ１６の連結筒部２３は、内筒２４および外筒２５を備える二重筒状に形成されていて、吸上げパイプ１３はその上端部が内筒２４と外筒２５との間に差し込まれて連結筒部２３に連結されている。図示の例では、吸上げパイプ１３の上端部は、内筒２４と外筒２５との間に、下方から上方に向けて差し込まれる。
【００２２】
そして本実施形態では、外筒２５には、その径方向の内側に向けて突出し、吸上げパイプ１３の上端部を内筒２４に押し付ける突出部２６が形成されている。突出部２６は周方向に間隔をあけて複数配設されている。図示の例では、突出部２６は２つ設けられ、外筒２５において径方向で互いに対向する位置に各別に配設されている。また、突出部２６は、下方から上方に向かうに従い漸次径方向の内側に向けた突出量が大きくなっている。
【００２３】
また、外筒２５において、突出部２６に上方から連なる上側部分に第１貫通孔２７が形成されるとともに、該突出部２６に周方向の両側から連なる一対の側方部分には、第１貫通孔２７に接続する第２貫通孔２８が各別に形成されている。
本実施形態では、一対の第２貫通孔２８は、前記側方部分から上下双方向に延在していて、外筒２５の上端に至っている。また、第１貫通孔２７も外筒２５の上端に至っている。そして、一対の第２貫通孔２８において突出部２６より上方に位置する部分の全体が、第１貫通孔２７に接続されている。そして、外筒２５において、第１貫通孔２７および第２貫通孔２８で画成され、かつ突出部２６が位置する係止片部分２９は、下端が固定端とされ、上端が自由端とされた側面視矩形状の板体となっている。
【００２４】
さらに本実施形態では、外筒２５において、突出部２６よりも下方に位置する下側部分２５ａと、内筒２４と、の間の隙間は、吸上げパイプ１３の上端部の肉厚以上となっている。また、外筒２５の下端部には、内径が上方から下方に向かうに従い漸次拡径する面取り部２５ｂが形成されている。さらに、外筒２５の下側部分２５ａにおいて面取り部２５ｂよりも上方に位置する部分は、上方から下方に向かうに従い漸次拡径しており、その軸線Ｏに対する傾斜角度は、面取り部２５ｂおよび突出部２６よりも小さくなっている。ただし、外筒２５の下側部分２５ａにおいて面取り部２５ｂよりも上方に位置する部分は、上下方向の全域にわたって同等の内径に形成してもよい。
なお、内筒２４には、径方向の外側に向けて突出し全周にわたって延びる係止突条部２４ａが上下方向に間隔をあけて複数形成されている。係止突条部２４ａは、内筒２４において外筒２５の下側部分２５ａと対向する位置に配設され、吸上げパイプ１３の内面に密接している。
【００２５】
以上説明したように、本実施形態による吐出器１によれば、連結筒部２３の外筒２５に突出部２６が形成されているので、吸上げパイプ１３の上端部を連結筒部２３に連結した状態で、この吸上げパイプ１３の上端部を突出部２６により内筒２４に押し付けることが可能になり、吸上げパイプ１３を連結筒部２３に強固に連結することができる。
また、突出部２６の径方向の内側に向けた突出量が、下方から上方に向かうに従い漸次大きくなっているので、吸上げパイプ１３を連結筒部２３に対して下方に向けて引っ張ったときに、突出部２６の上端部を吸上げパイプ１３の上端部に食い込ませ易くすることが可能になり、吸上げパイプ１３の上端部を外筒２５と内筒２４との間から抜き出し難くすることができる一方、吸上げパイプ１３の上端部を外筒２５と内筒２４との間に容易に差し込むことが可能になる。
【００２６】
さらに、外筒２５に第１貫通孔２７および第２貫通孔２８が形成されているので、前記係止片部分２９を、下端を固定端、上端を自由端として撓み変形させ易くすることが可能になり、この係止片部分２９を径方向に弾性変形させ易くすることができる。
したがって、吸上げパイプ１３を連結筒部２３に対して下方に向けて引っ張ったときに、前記係止片部分２９を突出部２６が径方向の内側に変位するように撓ませ易くする一方、吸上げパイプ１３の上端部を外筒２５と内筒２４との間に差し込む際に、前記係止片部分２９を突出部２６が径方向の外側に変位するように撓ませ易くすることが可能になり、前述の作用効果をより一層確実に奏功させることができる。
また、外筒２５において突出部２６よりも下方に位置する部分と、内筒２４と、の間の隙間が、吸上げパイプ１３の上端部の肉厚以上となっているので、吸上げパイプ１３の上端部を外筒２５と内筒２４との間により一層差し込み易くすることができる。
【００２７】
なお、本発明の技術的範囲は前記実施の形態に限定されるものではなく、本発明の趣旨を逸脱しない範囲において種々の変更を加えることが可能である。
【００２８】
例えば、ポンプ体１４は、前記実施形態に限らずいわゆるフォーマポンプ等適宜変更してもよい。
また、突出部２６は前記実施形態に限らず適宜変更してもよい。
さらに、外筒２５に第１貫通孔２７および第２貫通孔２８は形成しなくてもよい。
【００２９】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３０】
吸上げパイプを連結筒部に強固に連結することができる。
【符号の説明】
【００３１】
１  吐出器
１１  吐出孔
１２  吐出ヘッド
１３  吸上げパイプ
１４  ポンプ体
２３  連結筒部
２４  内筒
２５  外筒
２６  突出部
２７  第１貫通孔
２８  第２貫通孔
Ｏ  軸線
【図１】
0005588694.tif 000002
【図２】
0005588694.tif 000003
【図３】
0005588694.tif 000004